(57)【要約】【課題】バイオリン、ビオラの演奏時に、従来は、演奏者の身体を、過度に拘束する保持の方法を、全面改正して、自由闊達なバイオリン、ビオラの保持の方法と、保持の器具を提供する。【解決手段】奏者は演奏寸前に、首に掛けた、吊り具１０に、バイオリ吊り具孔３又は４に引っ掛ける。たった１回の動作で、バイオリン、ビオラの下部を左鎖骨下に保持出来ると同時に、奏者好みの、バイオリンの左右の傾斜を確定し、固定できる。先行技術にある、奏者の体を拘束する煩雑な紐、ワイヤーを極力減少し、本発明は、吊り紐１本だけで吊るし、演奏者の体を極力拘束しない事を主願とし、同時に、金属を一切使わない部品、で構成する、人体に優しい器具である。【選択図】図３
2008129438.tif 000002
【特許請求の範囲】
【請求項１】
バイオリン、ビオラの演奏時に、左肩、左鎖骨、首、顎で、バイオリン、ビオラの下部ブロック付近を、押さえて、体に無理な体位を強要する、従来の方式を改革して、
首に掛けた吊り紐を、左鎖骨の右端、下付近に保定し、その箇所に、バイオリン、ビオラの底部を掛けて、保持する、体に優しい事を特徴とする、保持の方法。
【請求項２】
バイオリン、ビオラの演奏時に、その楽器の下部ブロック付近を、左鎖骨右端、下、付近で保持する器具とは、２つの器具よりなる。即ち
第１の器具は、首に回した、紐、リボン、ベルト、皮、等の幅広紐状の軟性物質９
の両端９Ａ、９Ｂを、左鎖骨の右端、下付近で、交差させ、その箇所を、吊り紐長さ調整具１１，１２で固定する。
その吊り紐長さ調整具１１，１２に、吊り具１０を接着固定し、
吊り紐長さ調整具１１，１２の裏面（身体側）に、安定板１３を挿入した、挿入函１４
を接着１５する。
第２の器具は、バイオリンの、顎押さえ、に付属する、２本の金属棒２，５に、吊り具平板１を、圧接嵌合する。
その吊り具平板１には、演奏者、好みの、楽器の左右の傾き角度（２例を示す、４は正常演奏時の角度３０度、３は奏者がパホーマンス的演奏をする時の角度６０度、）をつけて、吊り具孔３，４を開口、設定して置く。
演奏直前に、演奏者は、その吊り具孔３，４のどちらかの孔へ、吊り具１０を嵌入して、演奏者の好みの、楽器の左右の傾きを確定し、演奏する。
以下発明に関わる部品の構成を説明する。
吊り具１０と、吊り紐長さ調整函１２，１１と、挿入函１４は接着１５して置く。
然し、胸が貧弱で、かつ床に対して胸が垂直な奏者は、吊り紐９と、吊り紐長さ調整具１１，１２だけでは、吊り具１０が左右に揺れる心配がある為に、１３安定板を挿入した１４安定板の挿入函を追加して接着して置く。
しかし、胸が正常に前方に傾斜した男性奏者、及び胸が正常で、豊満な女性奏者は、１３安定板、と安定板の挿入函１４、は必要ないから、接着しない。
尚、特徴とする事は、以上の部品、器具は、全て、金属部品を一切使わない、体に優しい、材料で、構成した事を特徴とする。
以上の部材で構成する、演奏時のバイオリン、ビオラの保持と、傾斜角度を、同時に設定し、しかも、体に優しい、バイオリンの保持器具。
【発明の詳細な説明】
【技術分野】
【０００１】
従来は、演奏時に、バイオリン、ビオラの下部ブロック付近を、左肩、左鎖骨、顎で固定し、左肘を内側へ押しこむ、人体に無理な体位で演奏を強要してきた。
【０００２】
本発明は、全く新しい位置、即ち、バイオリンの下部を、左鎖骨の右端下付近に保持して、人体に無理のない姿勢で演奏する方法を提供した。
【０００３】
しかも、保持する器具は、先行技術で、記述している、演奏者の体を取り巻く紐類を、最小限に少なくした、即ち、首に吊るした１環の紐のみとし、
しかも付属部品では、金属類は一切使わず、バイオリンの演奏により、金属類が２次振動を起こして、微少なる不協和音を出さない事と、
金属類が体に当たって、疼痛、不快感を起こさない事と、
ペースメーカー内臓者に、悪影響を及ぼさない事、を主眼とした。
【背景技術】
【０００４】
【特許文献１】特開２００６−３０８８３７号公報
【特許文献２】実用新案登録第３０７０１６９号公報
【特許文献３】実開平５−７１８９６号公報
【特許文献４】実開平３−９４５９５号公報
【特許文献５】実開昭６４−１７５９５号公報
【特許文献６】実開昭６４−５５９８６号公報以上６件の先行技術を調査するに、いずれも、本発明が主眼とする、発明を構成する部品に、金属部品を一切使わない事。及び、体を囲繞する紐、ワイヤーが単純にして、少ない事、即ち、１本にした事。及び、バイオリン、ビオラの傾きを確定し、長時間固定する事。及び、バイオリン、ビオラを所定位置（左鎖骨の右端下）に１挙動で保定する。条件を満たしていない。及び、バイオリンを保持する、方法と、場所と、保持の部品を公開した、先行技術が、見当たらない。
【０００５】
本発明は、全く新しい位置、即ち、バイオリンの下部を、左鎖骨の右端下付近に保持して、人体に無理のない姿勢で演奏する方法を提供しているものである。
【０００６】
しかも、保持する器具は、先行技術で、散見される、演奏者の体を取り巻く紐類を、最小限に少なくし、首に吊るした１環の紐のみとし、
しかも付属部品では、金属類は一切使わず、バイオリンの演奏により、金属類が２次振動を起こして、微少なる不協和音を出さない事と、
金属類が体に当たって、疼痛、不快感を起こさない事と、
ペースメーカー内臓者に、悪影響を及ぼさない事、を主眼とした。
【０００７】
１  従来は、バイオリン、ビオラの演奏時に、バイオリン、ビオラの下部ブロック付近を、左肩、左鎖骨、顎で押さえて、保持し、左腕の肘は極限まで、内側に入れる、困難、窮屈な姿勢を強要して来た、
２  この様に、バイオリン、ビオラの特異な保持方法は、他の全楽器では見当たらない。
３  バイオリン、ビオラの如き楽器の保持は、古典的、伝統的であるが為、批判すら出来ず、盲目的に従い、因習から、脱却出来ずに来た
４  その為、あたら音楽的才能のある、バイオリン、ビオラ練習生が、バイオリンの保持で、体に苦痛が或る為に、継続を断念する事が多かった。
５  又骨発育時の青少年が無理な体位を長時間、持続する為、後年、身体的故障が発現する、事も多々、あった。
６  然し、現代に至って、急速な科学の進歩は、バイオリン、ビオラと言えども改善、改革を即時、実行する時期に、迫られている。
７  バイオリン、ビオラの奏者は自身が演奏する、楽器の振動を、顎で確かめると言う。しからば、楽器の振動を、頭骨の或る部分に、伝える、軽量なる、器具が社会に出回っている、と言う、現状から考えれば、今後は、奏者は自身の顎を楽器に当てて、演奏の正確を確認する、必要はない。当然、奏者は頭、顔は、自分の欲する自由な方向に向けて、演奏する事が、今後は自然な状態となって、しかるべきである。
【発明の開示】
【発明が解決しようとする課題】
【０００８】
バイオリン、ビオラの奏者は、各人が、首に掛けた、吊り具１０に、バイオリンの、吊り具孔の３か４を掛ければ
バイオリン、ビオラの下部は、演奏者の、左鎖骨の右端下、付近に保持される。
故に、奏者自身の肩、左鎖骨、顎で押さえる必要はない。又、指板を押さえる為に、左肘を極限まで、内側に入れる不合理が解消される。
【課題を解決するための手段】
【０００９】
バイオリン、ビオラの奏者は、演奏中、上体を、大きく前屈しない限り、即ち、正常な立位であれば、多少、上体を揺らせる、位では、左鎖骨右端下に、保持された、バイオリン、ビオラの尻は奏者の胸から、離れる事はない。
これを、更に詳しく説明すると、人の胸は鎖骨から、乳首へ下がる程、前方へせり出し、垂直でなく、傾斜をなしている。
この傾斜の上に、首紐により、吊り下げられた、バイオリンの尻が５０％乗っかり、５０％寄りかかっている、状態であるから、
バイオリン、ビオラの奏者が、故意にバイオリン、ビオラの指板、棹を前方へ引っ張らない限り、バイオリン、ビオラの自重が、垂直に下へ働く事により、奏者の胸から、くっ付いて離れない。
と言う事は、バイオリン、ビオラの尻の固定は、首から下げた、幅広紐状の物９で、奏者の胸に安定し、保持されている、と言う事である。
【００１０】
しかし、胸が扁平で垂直な男性では、吊り具１０は胸前でぶらぶらして、不安定ではないかと、心配するのは当然である。
胸が扁平で、垂直な男性では、幅広紐状物体９と、吊り紐長さ調整具１１，１２が、胸から離れたり、左右へ移動したり、ゆれる事、を防ぐ為に、吊り紐長さ調整具１１，１２の裏に、図６で示す様に、１４挿入函を接着し、その函に１３安定板を挿入する。この１３安定板の横長さは、両乳首の間隔程あるから、奏者は演奏時に、１３安定板の両端を背宏、上衣、スーツの襟の内側に入れれば、相当の力で、バイオリンを前方に引っ張る様な事をしなければ、バイオリンの尻は奏者の胸から決して、離れない。
更に、１４挿入函の裏に１９滑り止め繊維（図４、図８の１９）を接着して、奏者の衣服に密着性を増強した。
【００１１】
胸が正常か、前方へ出た女性は、バイオリンの尻は奏者の胸から決して、離れないから、１３安定板は必要ない。
【００１２】
尚、特徴とする事は、以上の部品、器具は金属材料を一切使わない材料で、製作した物であるから、鋭角部分がないから、体が痛くない。
又、バイオリンの振動によって、金属部品が不快な共振と、共振音を発する事がない。
又、ペースメーカー使用者に、不具合、不安感を生ぜしめない。
【発明の効果】
【００１３】
１  従来の、バイオリン、ビオラの習得、演奏時の無理な体位により、骨発達時の無理な体位による疾病の発生を、本発明は、予防する。
２  音楽的才能がありながら、バイオリン、ビオラの習得の無理な体位を嫌悪して、途中放棄する者が減少する。
３  バイオリン、ビオラの習得人口が増加する。
４  本発明を構成する部品には、金属は一切使わないから、女性の肌に優しく、
金属角が体に当たって、圧痛を与える事が無い。
５  金属は一切使わないから、演奏者がペースメーカー内臓者であっても、心配ない
６  先行技術では吊り紐に、少なくとも１個以上は、必ず、金属部品を使っているが、本発明は金属部品を、一切使わないから、金属同士が触れ合って、微少雑音、微少振動を発生する、事がない。
７  先行技術で発表している、吊り具が背部まで取り巻く様な、体の拘束をして、演奏者に窮屈感を与える事を、絶対に避け、本発明は、首に掛けた１筋の紐類だけとした。
８  演奏中、頭、顔を自由に動かせるから、奏者は長時間演奏出来る、又演奏中、奏者は、聴衆にアッピール、パフォーマンス、が自由に出来る。
９  バイオリンの下部の固定位置を、左鎖骨の右端下にした事で、演奏者の蝶ネクタイ、ネクタイ、ネックレス、ネックレスの宝飾品と重なる事がない。
１０  バイオリン演奏時に、バイオリン奏者の特定のバイオリンの傾きを、吊り具孔３，４の角度によって、的確に、長時間固定できる。
１１  しかも、従来の、左肩、左鎖骨、顎で固定する場合は、バイオリンの傾きは、１つの角度しか取れなかったが、本発明では、パフォーマンス的演奏角度が取れる。
１２  吊り具平板１は加撤式であるから、色々な角度を開孔した、吊り具平板１を取り替える事により、バイオリンの傾斜は、数種類も実践し、演奏できる。
１３  従来、奏者が、バイオリンを、左肩、左鎖骨、顎で固定する時間は１秒前後であるが、本発明に於いても、バイオリン奏者がバイオリンを、左鎖骨の右端下に保定する速度は、僅かの練習回数と、練習日数で、１秒前後で出来る様になる。
１４  吊り紐のデザインの多彩、多様化で、この方面の産業は興隆する。例えば、多彩なデザインを施した組紐。宝石を埋め込んだ皮、ビニール紐。LEDを使用した、多色発光の吊り紐、等。
１５  バイオリン、ビオラと言えば、アカデミックの本道である。しかし、聴衆を更に面白く、させる事も必要である。
例えば、バイオリン、ビオラの演奏で、音の高、低、振動の  大、小  等で、奏者の衣服にちりばめたＬＥＤが、多彩に点滅する様子、又は舞台の背景にＬＥＤが表現する夢幻の画面を見た聴衆、そして観衆は、演奏者のパホーマンスと、舞台のシュールな演出に、酔い痴れる事であろう。
若し此れが、難聴者を喜ばす事が出来れば、此のパホーマンスが、新しい形態の癒し、を与える事になる。
１６  この様に、従来の演奏態度から、殆ど進化しなかった、バイオリン、ビオラの、保持の方法も演奏表現も、時代の趨勢につれて、変化していくのは、奨励すべき事である。
１７  個人名はいけないので、仮名で言うと、博士太郎氏の演奏は、本発明が現実に差し掛かった事と、発展の可能性を示している。
【発明を実施するための最良の形態】
【００１４】
本発明は、全く新しい位置、即ち、バイオリンの下部を、左鎖骨の右端下付近に保持して、人体に無理のない姿勢で演奏する方法を提供した。
【００１５】
しかも、保持する器具は、先行技術で、発表している、演奏者の体を取り巻く紐類、ワイヤー類を、最小限に少なくし、首に吊るした１環の紐のみとした。
【００１６】
しかも付属部品では、金属類は一切使わず、バイオリンの演奏により、金属類が２次振動を起こして、微少なる不協和音を出す、と言う事が無い。
尚、金属類が体に当たって、疼痛、不快感を起こさない事と、
ペースメーカー内臓者に、悪影響を及ぼさない事、を主眼とした。
【実施例】
【００１７】
図２、で説明する。演奏者は、演奏直前に、首に掛けた吊り具１０に、バイオリン底部に嵌合した、吊り平板１の吊り具孔４か３、を掛ける動作を示す、図である。
【００１８】
図３、について説明する。バイオリン、ビオラの下部ブロック付近の顎押さえ７の、２本の金属棒２，５に、圧接篏合した吊り具平板１を示す。この１吊り具平板には、バイオリン、ビオラ奏者の各人好みの傾斜角度、３，４の吊り具孔を開孔させて置く。
この３，４のいずれかの吊り具孔を、左に示す吊り具１０に、引っ掛けた時、バイオリン、ビオラの尻は、バイオリン、ビオラ奏者の左鎖骨右端、下付近に保持される。
【００１９】
と同時に、バイオリン、ビオラ奏者が演奏する時は、各人好みのバイオリン、ビオラの表板の左右の傾き６が、即時に、固定できる。
注釈、吊り具孔４，３の、３０度、６０度の傾斜は１例を示したものであり、１０吊り具を水平にする動作の前提条件下で、４、若しくは３の吊り具孔を引っ掛けると、ただちに、バイオリン、ビオラ奏者の各人好みの表板の左右の傾きが、自動的に確定できる。
【００２０】
図４の右の図は、図３のD、D'に於ける 縦断を、図４の断面図で示した。
その縦断面の３，４のいずれかを、左に示す、吊り具１０に引っ掛ける事により、バイオリン、ビオラの尻は、バイオリン、ビオラ奏者の左鎖骨右端、下付近に保持される。
図５は、バイオリンの下部と１吊り具平板の水平断面であり、１吊り具平板が、エンドピンを避けて２，５の金属棒に、嵌合した、状態を示す。
【００２１】
図６を説明する。
首に掛けた幅広紐様の物質９の両端９Ａ、９Ｂを左鎖骨下で交差させ、その位置を、１１，１２の吊り紐長さ調整具、で固定する。
この吊り具１０を、水平に固定する動作は、首に掛けた、９吊り紐の両端の長さ（即ち、首から、交差点に至る、両側の紐９Ａ、９Ｂの長さ）を、調整して実施する。
【００２２】
図７は、吊り具の全部品をパーツ毎に分解して、展開した図。
【００２３】
図８を説明する、
吊り紐長さ調整函１２，１１の、遊離端１６．１７が内側へ向かって恒常的に弾力的圧迫をして、吊り紐を締め付けて、吊り紐からのずり下げを防止して、１０吊り具、１吊り具平板、共々、バイオリンの尻を、所定位置に保持する。
【００２４】
胸が扁平で、垂直な男性では、幅広紐状物体９と、吊り紐長さ調整具１１，１２が、胸から離れたり、左右へ移動したり、ゆれる事、を防ぐ為に、吊り紐長さ調整具１１，１２の裏に、安定板の挿入函１４を接着する。この安定板の挿入函１４に安定板１３を挿入する。
更に、挿入函１４の裏に１９滑り止め繊維を接着して、奏者の衣類へ密着性を増して、止め具全体の保定性能を、確実にした。
【００２５】
この安定板１３の横長さは、両乳首の間隔ほどあるから、安定板１３の両端を演奏時に、背宏、上衣、スーツの襟の内側に入れれば、相当の力で、バイオリンを前方に引っ張る様な事をしない限り、バイオリンの尻は奏者の胸から、離れない。
【００２６】
多少でも、胸が前方へ出た女性には、安定板１３は必要ない。
【００２７】
本発明は、全く新しい位置、即ち、バイオリンの下部を、左鎖骨の右端下付近に保持して、人体に無理のない姿勢で演奏する方法を提供した。
しかも、保持する器具は、先行技術で、散見される、演奏者の体を取り巻く紐類を、最小限に少なくし、首に吊るした１環の紐のみとし、
しかも付属部品では、金属類は一切使わず、バイオリンの演奏により、金属類が２次振動を起こして、微少なる不協和音を出さない事と、
金属類が体に当たって、疼痛、不快感を起こさない事と、
ペースメーカー内臓者に、悪影響を及ぼさない事、を主眼とした。
【図面の簡単な説明】
【００２８】
【図１】人物略図
【図２】人物略図
【図３】バイオリン底部８の外観と、吊り具１０の略図
【図４】図３のＤ−Ｄ´の断面図
【図５】吊り具平板の断面図
【図６】吊り具全体の俯瞰面
【図７】吊り具全体の分解図
【図８】吊り具全体の断面図
【符号の説明】
【００２９】
図１,  Ａは従来の演奏姿勢。Ｂは本発明の演奏姿勢
図２
演奏寸前に、吊り具１０に、バイオリンの吊り平板１を掛ける奏者。
図３、
１  ２本の金属棒２，５に篏合した吊り具平板１を示す。
３  ６０度の吊り具孔。
４  ３０度の吊り具孔。
５  金属棒に吊り具平板１の他端を、指の圧力で篏入する。
６  吊り具１０に吊り具孔４を掛けた時の、バイオリンの面６の傾斜が自動的に設定される事を示す。
７  バイオリンの顎押さえ
８  バイオリンの下部（底部）とエンドピン。
１０  吊り具
図４
右図は吊り具平板１を、横から見た断面図
左図は、吊り具１０の断面図
図５
吊り具平板１  を上から見た断面図、エンドピン８を避けて、金属棒２、５に嵌合した図
図６
９Ａ,９Ｂは、首に掛けた吊り紐９の末端を示す
１０  吊り具
１１，１２  吊り紐９の末端９Ａ  ９Ｂを左鎖骨右端下で交差させ、固定する調整函１１，１２
１０  安定板
１４  安定板１３の挿入函１４
図７
吊り具の全部品を分解し、展開した略図。
図８は、
１０  吊り具と、１１，１２紐とめ具と、１４挿入函を、接着した１６、断面を示す。
【００３０】
では、金属を使わないで、吊り紐９の末端９Ａ  ９Ｂをどうして固定出来るか、
図６で、注目すべき特徴、１６，１７，１８を説明する、
吊り紐長さ調整函１２，１１及び挿入函１４の、遊離端１６，１７，１８が内側へ向かって恒常的に弾力的圧迫をして、吊り紐端９Ａ，  ９Ｂ  を締め付けて、吊り紐からのずり下がりを防止して、所定位置に保持する、構造を示す。
更に、挿入函１４の裏（奏者の衣服に接する面）に、滑り止め繊維１９を接着して、奏者の衣服へ、接着し、吊り具全体の保定性を確実にした。
【図１】
2008129438.tif 000003
【図２】
2008129438.tif 000004
【図３】
2008129438.tif 000005
【図４】
2008129438.tif 000006
【図５】
2008129438.tif 000007
【図６】
2008129438.tif 000008
【図７】
2008129438.tif 000009
【図８】
2008129438.tif 000010